(57)【要約】【課題】球状物と非球状物とが配合された混合物を、前記球状物と非球状物とに比較的短時間で且つ効率良く分離できる分離装置を提供する。【解決手段】フロア面Ｆに対して送り方向が斜め上向きに傾斜し、且つ該傾斜した姿勢で振動可能とされたベルトコンベア２０と、該ベルトコンベア２０の上側ベルト２１における源流側２１ｂに、球状物ｂｐと非球状物ｓｐとの混合物ｈｐを落下させて供給するホッパー３やフィーダ７などからなる混合物供給手段２と、を含む、分離装置１。【選択図】  図２
2019155223.tif 000002
【特許請求の範囲】
【請求項１】
球状物と非球状物との混合物を球状物と非球状物とに分離する装置であって、
フロア面に対して送り方向が斜め上向きに傾斜し、且つ該傾斜した姿勢で振動可能とされたベルトコンベアと
上記ベルトコンベアの上側ベルトにおける源流側に、球状物と非球状物との混合物を落下させて供給する混合物供給手段と、を含む、
ことを特徴とする分離装置。
【請求項２】
前記混合物供給手段は、前記混合物を収容するホッパーと、該ホッパーの下端側の排出口に基端側が位置し、且つ先端側が前記ベルトコンベアの上側ベルトにおける源流側の上方に位置するように水平状の姿勢で配置された振動可能なフィーダと、から構成されている、
ことを特徴とする請求項１に記載の分離装置。
【請求項３】
前記ホッパーにおける下端側の排出口には、前記混合物の落下量を調整するための絞り手段が配置されている、
ことを特徴とする請求項２に記載の分離装置。
【請求項４】
前記フィーダの先端側と、前記ベルトコンベアの上側ベルトにおける源流側との間には、上記フィーダの先端側から落下する前記混合物が衝突する反射板が配置されている、
ことを特徴とする請求項２または３に記載の分離装置。
【請求項５】
前記ベルトコンベアの送り方向の両端に位置する一対のローラーを回転自在に支持する支持体と、前記フロア面との間には、上記ベルトコンベアの振動を吸収する制振手段が配置されている、
ことを特徴とする請求項１乃至４の何れか一項に記載の分離装置。
【請求項６】
前記ベルトコンベアにおける上側ベルトの送り側に配置した回収箱と、前記ホッパーとの間に、吸引手段を含む戻り管が配設されている、
ことを特徴とする請求項１乃至５の何れか一項に記載の分離装置。
【請求項７】
複数の前記ベルトコンベアが前記フロア面に対し斜め上向きに傾斜した姿勢で配置され、互いに直列状で且つ側面視で平行状に配列されていると共に、平面視で隣接する２つ以上のベルトコンベアの上側ベルトの端部同士が重複している、
ことを特徴とする請求項１乃至５の何れか一項に記載の分離装置。
【発明の詳細な説明】
【技術分野】
【０００１】
本発明は、比較的球形状の球状物と薄膜状などの非球状物とが不規則に配合された混合物を、前記球状物と非球状物とに精度良く分離できる分離装置に関する。
【背景技術】
【０００２】
例えば、球状物と角状物とが不規則に配合された混合物を、前記球状物と角状物とに選別するため、ホッパーに収容した前記混合物を該ホッパーの下端から水平状に延びたフィーダを介して、下面側に取り付けたバイブレーターにより振動可能とされ且つ傾斜した選別プレート上に供給し、該選別プレートをその上方に向かって流送波が進行するように厚み方向に沿って振動することによって、上記選別プレート上の球状物を該プレートの低位置側に転落させると共に、角状物を当該選別プレートの高位置側に順次ジャンプさせつつ登攀するようにした無静電型振動流送式選別機が提案されている（例えば、特許文献１参照）。
【０００３】
しかし、前記の振動流送式選別機において、前記角状物をジャンプさせて前記選別プレートの上方側に搬送するには、該選別プレートに加える振動数を大きくしないと、前記搬送速度を上げることができない。一方、前記選別プレートに加える振動数を大きくした場合、前記球状物までもが該選別プレートの上方側に一旦ジャンプしてから下方側に遅い速度で転がり落ちてくるようになる。その結果、前記の振動流送式選別機では、前記混合物を球状物と角状物とに分離するに際し、１回の分離作業に長時間を要すると共に、分離後における球状物および角状物の各分離率も低くなるので、分離効率が不十分となる、という問題があった。
【先行技術文献】
【特許文献】
【０００４】
【特許文献１】特開平６−１９８２５１号公報(第１〜４頁、図１〜５)
【発明の概要】
【発明が解決しようとする課題】
【０００５】
本発明は、背景技術で説明した問題点を解決し、球状物と非球状物とが配合された混合物を、前記球状物と非球状物とに比較的短時間で且つ効率良く分離できる分離装置を提供する、特に、非球状物中にある僅かな球状物の割合をできるだけ低減できる分離装置を提供する、ことを課題とする。
【課題を解決するための手段および発明の効果】
【０００６】
本発明は、前記課題を解決するため、送り方向が床面側から斜め上向きの姿勢とされ且つ振動可能とされたベルトコンベアを用いると共に、該ベルトコンベアの上側ベルトにおける源流（下方）側に、球状物と非球状物との混合物を、両者ができるだけ互いに重なり合わないように広がる滝（膜）状に連続して落下させる、ことに着想して成されたものである。
即ち、本発明の分離装置（請求項１）は、球状物と非球状物との混合物を球状物と非球状物とに分離する装置であって、フロア面に対して送り方向が斜め上向きに傾斜し、且つ該傾斜した姿勢で振動可能とされたベルトコンベアと該ベルトコンベアの上側ベルトにおける源流側に、球状物と非球状物との混合物を落下させて供給する混合物供給手段と、を含む、ことを特徴とする。
【０００７】
前記分離装置によれば、以下の効果（１）を得ることが可能となる。
（１）前記ベルトコンベアは、エンドレスで回転しつつ、且つ斜め上向きに傾斜した姿勢でフロア面上に配置されていると共に、該ベルトコンベア全体がその上側ベルトおよび下側ベルトの面に垂直な方向、または、前記面に沿った方向、あるいは、これらを複合した１次元乃至３次元方向に沿って振動可能とされている。前記分離装置では、ベルトコンベアが振動していない状態でも、傾斜した上側ベルトに球状物と非球状物との混合物を落下させた場合、球状物はベルト表面を転がり、該ベルト表面に沿って落下し、一方、非球状物は、ベルトとの摩擦により、該ベルト表面に対して相対的に静止した状態で、上側ベルトと共に放出側に送られる。このため、前記ベルトコンベアが振動していない状態でも、ある程度の分離は可能である。しかし、球状物の上に非球状物が覆い被さっていたり、球状物が下方側に転がらないように、非球状物がベルト表面上に静止している場合には、球状物を転がすことができず、上側ベルトと共に上昇するため、非球状物との分離ができなくなる。そこで、前述した振動をベルトコンベアに与えて、非球状物によって転がりを妨げられていた球状物を、前後、左右、上下の少なくとも一つの向きに沿って移動させることにより、前記球状物を非球状物による拘束から解放し、上側ベルトのベルト面上を下方側へ転がり落とすことができる。従って、上記混合物から相当量の球状物を効果的に分離できるので、前記混合物を球状物と非球状物とに短時間で効率良く分離することが可能となる。
【０００８】
尚、前記球状物と非球状物は、例えば、球形状の金属粉末と薄板形状などの異形状の金属粉末、球形状の金属片と板形状などの異形状の金属片、球形状の小石（砂利）と異形状の小石（砂利）、あるいは、球形状のセラミック片と異形状のセラミック片などが例示される。
また、前記混合物は、前記球状物と非球状物とがランダムに配合されている。
更に、前記球状物と非球状物は、何れか一方が所望の材料または製品であり、且つ他方が廃棄物であるか、あるいは、双方が異なる特性または用途を有する材料または製品となるものである。
また、前記ベルトコンベアは、例えば、合成ゴム、高強度の布地、または、該布地とゴムとの複合材からなるエンドレスのベルトを、互いに離れた一対のローラーの周面ごとに巻き付けたものであり、少なくとも一方の前記ローラーはモーターなどにより自転可能とされている。
加えて、前記ベルトコンベアに対して加えられる振動は、該コンベアのベルトの送り方向、幅方向、および、厚み方向の少なくとも一つに沿っている。
【０００９】
また、本発明には、前記混合物供給手段は、前記混合物を収容するホッパーと、該ホッパーの下端側の排出口に基端側が位置し、且つ先端側が前記ベルトコンベアの上側ベルトにおける源流側の上方に位置するように水平状の姿勢で配置された振動可能なフィーダと、から構成されている、分離装置（請求項２）も含まれる。
これによれば、前記ホッパーの下端側の排出口から、前記フィーダの基端側に塊状に落下した前記混合物は、該フィーダ自体の送給方向などに沿った振動を受けることによって、当該フィーダの上面において互いに重なることなく一様に分散されて、層状ないし薄膜状の形態にされた後、前記ベルトコンベアの上側ベルトにおける源流側に滝（膜）状に落下するように供給される。従って、前記効果（１）を一層効果的に得ることが可能となる。
【００１０】
尚、前記ホッパーは、全体が下端側が縮径された逆円錐形状あるいは逆四角錐形などの多角錐形状を呈するホッパー本体と、該本体の下端側に開口する前記排出口とを備えている。上記ホッパー本体の上端側の開口部は、蓋材で閉塞しても良い。
また、前記ホッパーは、例えば、平面視で前記ベルトコンベアの源流（下方）側における左右何れか一方のサイド（側方）に配置される。
更に、前記フィーダは、その送給（長手）方向を、平面視で前記ベルトコンベアの源流側に対し斜めに傾斜して配置した場合、該フィーダの先端側は、平面視で上側ベルトの送り方向に対し、直角状となるように斜めにカットされている。
加えて、前記フィーダに加える振動は、該フィーダの基端側と先端側とに沿った混合物の送給方向と該フィーダの高さ（垂直、厚み）方向の双方に沿っている。
【００１１】
更に、本発明には、前記ホッパーにおける下端側の排出口には、前記混合物の落下量を調整するための絞り手段が配置されている、分離装置（請求項３）も含まれる。
これによれば、前記ホッパーから前記混合物を一定量ずつ前記フィーダの基端側に供給できるので、前記効果（１）を安定して得ることが可能となる。
尚、前記絞り手段には、前記ホッパーの排出口の面積を増減する絞り弁、あるいは、水平方向に沿って接近および離間可能な一対の絞り片が例示される。
【００１２】
また、本発明には、前記フィーダの先端側と、前記ベルトコンベアの上側ベルトにおける源流側との間には、上記フィーダの先端側から落下する前記混合物が衝突する反射板が配置されている、分離装置（請求項４）も含まれる。
これによれば、前記フィーダの先端側と、前記ベルトコンベアの上側ベルトにおける源流（下方）側との間に、前記フィーダの先端側から滝（膜）状にして落下する前記混合物が衝突する反射板が配置されている。
そのため、前記混合物のうち、球状物の多くは、上記反射板の上面に衝突した際、強く反発して上記ベルトコンベアの源流（下方）側に大きく弾き飛ばされる。よって、球状物は、非球状物よりも上側ベルトの源流（下方）側へ落下する。即ち、球状物は、反射板からの反発（力）が大きいため、遠くに飛ばされる。その結果、該球状物は、ベルト面上への落下後には、非球状物に妨げられることが少なく、ベルト面上を下方側に転がることになる。
一方、非球状物、特に板形状や帯形状のものは、球形状のものに比べ、反射板からの反発（力）が小さいため、遠くに飛ばされない。
従って、上記混合物から球状物を効率良く確実に分離できるので、前記効果（１）をより顕著に得ることができる。
尚、前記反射板（反発板）は、前記フィーダの先端側の直下付近に対し、該先端側を仰ぐように傾斜した上面を有し、前記混合物のうち、球状物を上記ベルトコンベアにおける上側ベルトの源流（下方）側の比較的遠い表面上の位置に跳ね飛ばし、非球状物を上側ベルトの源流（下方）側の比較的近い表面上に落下させることができる。
【００１３】
更に、本発明には、前記ベルトコンベアの送り方向の両端に位置する一対のローラーを回転自在に支持する支持体と、前記フロア面との間には、上記ベルトコンベアの振動を吸収する制振手段が配置されている、分離装置（請求項５）も含まれる。
これによれば、前記傾斜姿勢に配置された前記ベルトコンベアをフロア面上において支持する支持脚などと、該フロア面との間に上記ベルトコンベアの振動を吸収する制振手段が配置されているので、エンドレスに回転する当該ベルトコンベアに対し、前述した方向に沿って安定した振動を与えることができる。従って、前記効果（１）をより確実に得ることが可能となる。
尚、前記制振手段は、例えば、防振ゴム、コイルバネ、あるいは、油圧ダンパーなどである。
【００１４】
また、本発明には、前記ベルトコンベアにおける上側ベルトの送り（上方）側に配置した回収箱と、前記ホッパーとの間に、吸引手段を含む戻り管が配設されている、分離装置（請求項６）も含まれる。
これによれば、１ロット分の前記混合物に対して、複数回に亘る分離作業を連続して行えるので、前記効果（１）をより一層効率良く顕著に得ることができる。
尚、前記吸引手段は、エアーポンプ、真空ポンプ、サイクロンなどである。
【００１５】
加えて、本発明には、複数の前記ベルトコンベアが前記フロア面に対し斜め上向きに傾斜した姿勢で配置され、互いに直列状で且つ側面視で平行状に配列されていると共に、平面視で隣接する２つ以上のベルトコンベアの上側ベルトの端部同士が重複している、分離装置（請求項７）も含まれる。
これによれば、１つのロットの前記混合物を、前記傾斜姿勢で且つ直列状に配列した複数のベルトコンベアに順次供給することによって、上記混合物から球状物をより多く分離できるため、高い混合率の非球状物を効率良く低い混合割合に自動的に到達させることができる。従って、前記効果（１）を一層効率良く確実に得ることができる。
【００１６】
尚、複数の前記ベルトコンベアを、互いに直列状で且つ側面視で平行状に配列する形態の場合、各ベルトコンベアごとの源流側に隣接して、前記球状物を回収する回収箱が個別に配置され、且つ最終端側に位置するベルトコンベアの送り（上方）側の真下付近にのみ、前記非球状物を回収する回収箱が配置される。
また、複数の前記ベルトコンベアを配列する形態の場合、前記フィーダが位置する初端側のベルトコンベアの傾斜角度よりも、最終端側のベルトコンベアの傾斜角度を大きくすることにより、該ベルトの送り（上方）側に搬送される非球状物中における球状物の混合率を低減することが可能となる。
【図面の簡単な説明】
【００１７】
【図１】本発明による一形態の分離装置を示す斜視図。
【図２】上記分離装置の側面図。
【図３】（Ａ）〜（Ｃ）は前記分離装置中のホッパーに用いる絞り手段を示す概略図。
【図４】（Ａ），（Ｂ）は前記分離装置中のフィーダの先端側、反射板、およびベルトコンベアの上側ベルトにおける一端（下端）側を示す平面図と側面図。
【図５】（Ａ），（Ｂ）は上記ベルトコンベアの上側ベルトの一端側における作用を示す概略の斜視図と側面図。
【図６】（Ａ）は前記分離装置の応用形態を示す概略図、（Ｂ），（Ｃ）は異なる応用形態の分離装置を示す概略図。
【発明を実施するための形態】
【００１８】
以下において、本発明を実施するための形態について説明する。
図１は、本発明による一形態の分離装置１を示す斜視図、図２は、その側面図である。
上記分離装置１は、図１，図２に示すように、フロア面Ｆに対して送り方向が斜め上向きに傾斜し、且つ該傾斜した姿勢で振動可能とされているベルトコンベア２０と、該ベルトコンベア２０の上側ベルト２１における源流（下方）側２１ｂに、球状物ｂｐと非球状物ｓｐとの混合物ｈｐを落下させて供給する混合物供給手段２と、を備えている。
尚、上記球状物ｂｐは、例えば、球形状の金属粉末であり、上記非球状物ｓｐは、例えば、外形が長方形状などを呈する金属薄膜である。これらには、例えば、金属の溶湯を高速回転するドラムの周面に滴下して薄膜状の金属膜を得る際に、該金属膜（非球状物）と、同時に生じる球形状などの金属粉末とが挙げられる。
【００１９】
前記ベルトコンベア２０は、図２に示すように、送り方向の両端に位置する一対のローラー２４と、これらの周面にエンドレスに巻き付けた上側ベルト２１および下側ベルト２２と、前記一対のローラー２４を間隔を置いて回転自在に支持する左右一対の側枠２３と、該側枠２３の下端側および上端側を支持し、且つ高さの異なる一対ずつの支持脚（支持体）２５，２６と、上記側枠２３同士の下側に配置された振動発生装置３１を有する振動体３０と、から構成されている。
【００２０】
前記振動発生装置３１は、回転運動を行うアンバランスマス型（モーターに偏芯した重りを付けて回転し、その遠心力によって発生させるタイプ、例えば、振動モーター）、１軸振動の油圧型（ピストン駆動）、および動電型（磁界中でコイルに電流を流すことにより生じる力を利用）などの主に３種類が考えられる。上記アンバランスマス型の振動モーターでは、回転運動の面をベルトコンベア２０のベルト面に平行になるように設置する場合、または、回転運動の面をベルト面に垂直で且つ送り方向に平行になるように設置する場合など、球状物ｂｐや非球状物ｓｐの寸法や形状によって最大限、分離効率と到達の分離率とを高めるために、回転運動の面を最適な方向になるように選択して設置することができる。
また、上記１軸振動の油圧型および動電型の場合も、振動の軸をベルトコンベア２０のベルト面の幅方向、厚み方向、送り方向、または、これらを組み合わせた方向など、分離効率と到達の分離率とを高めるために最適となる方向になるように設置できる。更に、複数の同種あるいは異種の振動発生装置を組み合わせることも可能である。以上は、振幅や振動数についても、それぞれ最適化することができる。
尚、上記ローラー２４の一方または双方は、図示しないモーターにより回転可能とされている。
【００２１】
前記ベルトコンベア２０のフロア面Ｆに対する傾斜角度θは、約１５度〜４０度の範囲（例えば、約３０度）にある。
また、前記支持脚２５，２６ごとの下端側と、フロア面Ｆ上に固定した４つのベース板２７との間は、コイルバネ（制振手段）１７を介して接続されている。
更に、前記上側ベルト２１の源流側２１ｂに隣接して、前記球状物ｂｐを回収する回収箱２８が配置され、且つ上側ベルト２１の送り（上方）側２１ａの真下付近には、前記非球状物ｓｐを回収する回収箱２９が配置されている。
【００２２】
一方、前記混合物供給手段２は、図１，図２に示すように、逆四角錐形状のホッパー３と、その下端に位置する絞り部８を上側に載せた振動体６と、該振動体６との一側面から前記ベルトコンベア２０の上側ベルト２１における源流側２１ｂの上方に水平状に延びたフィーダ７と、から構成されている。上記ホッパー３の上側には、その開口部を塞ぐ箱形の蓋体４が配置されている。
また、上記絞り部８の内側には、例えば、図３（Ａ）に示すように、前記ホッパー３の排出口３ａを囲み且つ全体が漏斗形状である絞り弁（絞り手段）９が取り付けられている。該絞り弁９は、硬質の樹脂シートまたは布地を漏斗形状とし、その出口側１０の周囲に沿って、紐状あるいは帯状の絞り材１１を締め付け長さを調整可能にして巻き付けている。
【００２３】
あるいは、図３（Ｂ）に示すように、前記ホッパー３の排出口３ａの真下に左右一対の回転軸１２を水平に配置し、該回転軸１２ごとに垂直断面が楕円形または卵形状を呈する一対の絞り片１３を対称に固定した絞り手段としても良い。図示のように、各絞り片１３の先端部１４同士を接触させることで、上記排出口３ａを閉鎖できる。一方、前記回転軸１２を互いに逆回転することで、図３（Ｃ）に示すように、２つの絞り片１３の先端部１４同士を離間させ、その隙間から前記混合物ｈｐを膜状にして、前記フィーダ７側に落下させることができる。
また、前記フィーダ７は、図１，図４（Ａ）に示すように、垂直断面が凹溝形状を呈すると共に、その先端側７ａは、平面視で前記ベルトコンベア２０の上側ベルト２１の送り方向と直交するように、平面視で斜めに切断されている。
【００２４】
更に、前記振動体６は、上記フィーダ７をその基端側と先端側７ａとに沿った混合物ｈｐの送り方向と、該フィーダ７との厚み（垂直）方向との少なくも一方に沿って振動させる。
加えて、図１，図２，図４（Ａ），（Ｂ）に示すように、前記フィーダ７の先端側７ａと、前記ベルトコンベア２０の上側ベルト２１における源流側２１ｂとの間には、上記フィーダ７の先端側７ａから滝（膜）状にして落下する前記混合物ｈｐと衝突する反射板１５が水平（横）方向に沿って配置されている。
上記反射板１５は、硬質の金属板からなり、その上面が少なくも前記フロア面Ｆに対し、４０度以上の傾斜角度（例えば、約４５度）となるように、前記ベルトコンベア２０の両側から立設した左右一対の支持片１６同士における上端側の間に固定されている。
尚、上記反射板１５は、上面の傾斜角度と、高さ（レベル）とを任意に変更可能できるように、前記支持片１６同士の間に取り付けた形態としても良い。
【００２５】
以下において、前述した分離装置１の作用について説明する。
予め、前記ホッパー３に１ロット分の混合物ｈｐを投入し、前記振動体６によってフィーダ７に対して前述した振動を与えると共に、前記ペルトコンベア２０の上側・下側ベルト２１，２２を回転するように駆動し、且つ前記振動発生装置３１を稼働して当該ペルトコンベア２０全体に対して、前述した振動を与える。即ち、上記振動発生装置３１は、振動モーター（図示せず）を使用し、その取付け方向により、前記ベルトコンベア２０のベルト面の１次元方向乃至３次元方向（送り方向、厚み方向、幅方向、および、平面視で該ベルト面に沿った小さな回転方向、ならびに、前記ベルト面に対して任意の方向に沿った小さな回転方向）に沿った周期的な振動を与えることが可能である。
上記状態において、前記絞り弁９あるいは前記絞り片１３を開放して、上記ホッパー３内の混合物ｈｐを順次上記フィーダ７の基端側に落下させる。その結果、該混合物ｈｐは、前記フィーダ７の振動を受けて、該フィーダ７の上面で互いに重なり合った塊状の形態から層状を経て順次厚みが薄くなる膜状の形態となる。
【００２６】
前記薄い膜（滝）状となった混合物ｈｐは、図１．図２に示すように、前記フィーダ７の先端側７ａから前記上側ベルト２１のベルト面上に落下する。かかる落下の途中で上記混合物ｈｐは、図２，図４（Ｂ）に示すように、前記反射板１５の傾斜した上面に衝突する。その際、上記混合物ｈｐ中の球状物ｂｐは、該反射板１５の上面との衝突によって、源流側（下方）のベルト面上により大きく跳ね飛ばされ、上側ベルト２１のベルト面上に落下して転がり落ちた後、前記回収箱２８内に進入する。
更に、上記混合物ｈｐが、図４（Ｂ），図５（Ｂ）に示すように、斜め上方に移動しつつ振動している上側ベルト２１のベルト表面に衝突した際にも、該混合物ｈｐ中に残っていた球状物ｂｐの一部は、より大きく跳ね飛ばされ、上側ベルト２１のベルト表面上に落下して転がり落ちた後、上記回収箱２８内に進入する。
即ち、上記反射板１５は、反発力の大きい球状物ｂｐを上側ベルト２１の源流（下方）側の比較的遠いベルト面上に跳ね飛ばし、且つ非球状物ｓｐを比較的送り（上方）側に近いベルト面上に落下させることによって、両者が重なり合う現象を抑制し、分離を容易化している。
【００２７】
その結果、図５（Ａ）に示すように、前記上側ベルト２１のベルト表面上には、残部の球状物ｂｐを含み、且つ反発力の比較的弱かった非球状物ｓｐが薄膜状に載置された後、図２に示すように、該上側ベルト２１の送り（上方）側２１ａに向かって送給される。かかる非球状物ｓｐは、前記送り側２１ａから下側ベルト２２側に送られる途中で、回収箱２９内に落下して回収される。
以上のように、前記分離装置１では、振動している前記フィーダ７から膜状にして落下した前記混合物ｈｐは、前記反射板１５の上面との衝突時に、一部の球状物ｂｐが跳ね飛ばされ、引き続いて、振動している前記ベルトコンベア２０の上側ベルト２１上に落下して、別の球状物ｂｐが源流（下方）側２１ｂへ転がり、更に残部の球状物ｂｐを含む非球状物ｓｐが上側ベルト２１によって搬送される。その途中においても、前記球状物ｂｐは、ベルトコンベア２０の振動によって、非球状物ｓｐによる拘束から解放され、ベルト面上を転がり落ちて、前記回収箱２８に回収される。
従って、前記分離装置１によれば、前記効果（１）を確実に得ることができる。
【００２８】
図６（Ａ）は、前記分離装置１の応用形態である分離装置１ａを示す側面図である。
上記分離装置１ａは、図６（Ａ）に示すように、前記同様の混合物供給手段２と、ベルトコンベア２０などとを備え、上側ベルト２１の下流側２１ａの前記回収箱２９を図示しない支持脚によってフロア面Ｆよりも高い位置に配置すると共に、該回収箱２９内と前記ホッパー３の蓋体４との間に、側面視がＬ字形状の戻り管３３を接続し、該戻り管３３の途中にエアーポンプまたは真空ポンプ（吸引手段）３４を配設している。更に、上記ベルトコンベア２０の支持脚２５，２６と、フロア面Ｆとの間には、防振ゴム（制振手段）１８が個別に配設されている。
【００２９】
前記分離装置１ａでは、前記同様にしてある程度の球状物ｂｐが予め分離され、前記回収箱２９内に堆積した残部の球状物ｂｐを含む非球状物ｓｐを、上記戻り管３３を通じて、再度ホッパー３内に再投入することで、１ロット分の混合物ｈｐに対して、前記分離作用を複数回に亘って連続的に行うことが可能となる。
従って、上記分離装置１ａによれば、少ないスペースにより前記効果（１）を一層効率良く得ることが可能となる。尚、前記エアーポンプ３４などに替えて、前記蓋体４の上側にサイクロン（吸引手段）を配設しても良い。
【００３０】
図６（Ｂ），（Ｃ）は、異なる応用形態の分離装置１ｂを示す側面図である。
上記分離装置１ｂは、図６（Ｂ），（Ｃ）に示すように、各図示で左側に配置した混合物供給手段２と、その右側に隣接するベルトコンベア２０と、該ベルトコンベア２０と同様の傾斜し、送り方向が直列状であり、且つ側面視が平行状である２台以上のベルトコンベア２０と、を備えている。
図６（Ｂ）で右側に位置するベルトコンベア２０の源流（下方）側２１ｂと，図６（Ｃ）で中央および右側に位置する各ベルトコンベア２０ごとの源流側２１ｂとには、それぞれ前記同様の反射板１５が個別に配置されている。
以上のような分離装置１ｂでは、下流側のベルトコンベア２０を搬送される度に、前記混合物ｈｐから残部の球状物ｂｐが更に分離されるので、前記ベルトコンベア２０の総数を選択することにより、前記混合物ｈｐのロットごとに応じて、１ウェイにより球状物ｂｐと非球状物ｓｐとに効率良く分離することができる。
従って、前記分離装置１ｂによれば、前記効果（１）を一層精度良く確実に得ることができる。
【００３１】
本発明は、前記のような各形態に限定されるものではない。
例えば、前記ホッパーは、外形が逆円錐形状を呈する形態としても良い。
また、前記絞り手段は、前記ホッパーの排出口の直下を水平方向にスライドする１枚の弁板、あるいは、互いに接近および離間する一対の弁板としても良い。
更に、前記制振手段には、前記コイルバネ１７や防振ゴム１８に替えて、油圧ダンパーを用いても良い。
加えて、前記ベルトコンベア２０の振動体３０は、その内側に設ける前記フリーローラー３２を省略した形態としも良い。
【産業上の利用可能性】
【００３２】
本発明によれば、球状物と非球状物とが配合された混合物を、前記球状物と非球状物とに比較的短時間で且つ効率良く分離できる分離装置を提供できる。
【符号の説明】
【００３３】
１，１ａ，１ｂ…分離装置
２…………………混合物供給装置
３…………………ホッパー
３ａ………………ホッパーの排出口
７…………………フィーダ
７ａ………………フィーダの先端側
９…………………絞り弁（絞り手段）
１３………………絞り片（絞り手段）
１５………………反射板
１７………………コイルバネ（制振手段）
１８………………防振ゴム（制振手段）
２０………………ベルトコンベア
２１………………上側ベルト
２１ａ……………上側ベルトの送り（上方）側
２１ｂ……………上側ベルトの源流（下方）側
２４………………ローラー
２５，２５………支持脚（支持体）
３３………………戻り管
３４………………真空ポンプ（吸引手段）
Ｆ…………………フロア面
ｈｐ………………混合物
ｂｐ………………球状物
ｓｐ………………非球状物
【図１】
2019155223.tif 000003
【図２】
2019155223.tif 000004
【図３】
2019155223.tif 000005
【図４】
2019155223.tif 000006
【図５】
2019155223.tif 000007
【図６】
2019155223.tif 000008